(57)【要約】      （修正有）【課題】化粧品アプリケーターを提供する。【解決手段】化粧品アプリケーター１は、グリップと、グリップから延びるホルダーシャフトと、関節接合によりホルダーシャフトに接続されたアプリケーター領域２と、ボールスタッドと、を含む。アプリケーター領域２は、その軸３の周辺で９０°までの所望の角度で旋回し、その軸３の周辺で任意の方向に化粧品アプリケーター１の長さ方向軸３から離れた任意の所望の角度に調節され、ボールスタッドは、反対側の端部にストッパまたは突出部を有する。【選択図】図１
2018143742.tif 000002
【特許請求の範囲】
【請求項１】
化粧品アプリケーターにおいて、
グリップと、
前記グリップから延びるホルダーシャフトと、
関節接合により前記ホルダーシャフトに接続されたアプリケーター領域と、
ボールスタッドと、
を含み、
前記アプリケーター領域は、その軸の周辺で９０°までの所望の角度で旋回し、また、前記軸の周辺で任意の方向に前記化粧品アプリケーターの長さ方向軸から離れた任意の所望の角度に調節され、
前記ボールスタッドは、反対側の端部にストッパまたは突出部を有し、
前記ボールスタッドは、玉継手接続部により前記ホルダーシャフトに接続されている、化粧品アプリケーター。
【請求項２】
請求項１に記載の化粧品アプリケーターにおいて、
前記アプリケーター領域は、ブラシシャフトをさらに含み、
前記ブラシシャフトは、前記ボールスタッドに固定されている、化粧品アプリケーター。
【請求項３】
請求項１に記載の化粧品アプリケーターにおいて、
前記ホルダーシャフトは、アイを含み、前記アイは、前記ボールスタッドが固定的に嵌まり込むためのソケットとして作用し、また、任意の方向に調節を行うことを可能にする、化粧品アプリケーター。
【請求項４】
請求項３に記載の化粧品アプリケーターにおいて、
前記アイは、前記ボールスタッドを前記ソケット内部に拘束する複数の花弁状部を含む、化粧品アプリケーター。
【請求項５】
請求項３に記載の化粧品アプリケーターにおいて、
前記アイは、前記アイの内側空洞内に成型されるか、または切り込まれた複数のチャネル付き通路を含む、化粧品アプリケーター。
【請求項６】
請求項３に記載の化粧品アプリケーターにおいて、
前記アイは、前記ボールスタッドを収容し、磁石、ブラケット、または溝によって前記ボールスタッドを固定する、化粧品アプリケーター。
【請求項７】
請求項１に記載の化粧品アプリケーターにおいて、
前記ボールスタッドは、互いに独立して動き、かつそれぞれがそれ自体の限界を有する、二重玉継手接続部によって、前記ホルダーシャフトに接続されている、化粧品アプリケーター。
【請求項８】
請求項４に記載の化粧品アプリケーターにおいて、
前記複数の花弁状部は、前記アプリケーター領域をガイドして前記軸の周辺で任意の方向に旋回させる、化粧品アプリケーター。
【請求項９】
請求項３に記載の化粧品アプリケーターにおいて、
前記ストッパまたは前記突出部は、前記ホルダーシャフトのソケットの内壁の溝に沿って配された空洞または隆起部と連動して動作する、化粧品アプリケーター。
【請求項１０】
請求項９に記載の化粧品アプリケーターにおいて、
前記空洞または前記隆起部は、離脱モーメントが前記使用者から加えられるまで０°〜９０°の範囲のそれぞれの角度に前記アプリケーター領域を固定するようにインクリメントして配されている、化粧品アプリケーター。
【請求項１１】
請求項１０に記載の化粧品アプリケーターにおいて、
前記離脱モーメントは、前記使用者の手首を単にフリックすることで加えられる力と同じぐらいである、化粧品アプリケーター。
【請求項１２】
請求項４に記載の化粧品アプリケーターにおいて、
前記アイは、前記複数の花弁状部それぞれに沿って複数のスロットを含み、
前記複数のスロットは、前記アプリケーター領域を固定する、化粧品アプリケーター。
【発明の詳細な説明】
【開示の内容】
【０００１】
〔関連出願〕
本出願は、２０１７年３月２日出願の米国仮特許出願第６２／４６６，０３１号：「Adjustable End Mascara Brush」の優先権を主張し、この仮特許出願は、参照により全体が本明細書に組み込まれるものとする。
【０００２】
〔発明の分野〕
本発明は、化粧品アプリケーターに関する。より具体的には、本発明は、関節接合によって調節可能で、使用者がより人間工学的な向きでマスカラを塗ることを可能にする、マスカラブラシに関する。さらに、本発明のマスカラブラシによって、使用者はブラシをどの向きに調節することが意図されているかを気にせずに、ブラシヘッドに調節を施すことができる。
【０００３】
〔発明の背景〕
マスカラアプリケーターは、目を強調するためにさまざまな色のマスカラ液をまつげに塗るのに使用される。マスカラアプリケーターは、たいてい、ハンドルと、マスカラ液をつけるブラシと、を含む。
【０００４】
マスカラ液を使用者のまつげに塗るには、まず、マスカラ液が入っているマスカラケースにブラシを入れて、マスカラ液でコーティングし、次に、まつげを上に持ち上げるように、ブラシをまつげに沿って回すと、マスカラ液が、まつげに十分塗布され、まつげを曲線状に立てる。
【０００５】
しかしながら、前述した従来のマスカラは、ハンドルとブラシが一直線に配列されており、多くの使用者には快適ではないかもしれない。
【０００６】
例えば、化粧は、まつげとブラシが互いに平行に並んだ状態で行い、このとき、使用者の腕は、ブラシをまつげと平行に位置させるために肩の高さまで上げなければならず、化粧の作業を不安定な姿勢で行うことになり、これにより、化粧がうまくいかなくなる。
【０００７】
さらに、特許文献１は、ブラシが９０°の角度旋回できることを示しているが、このブラシは、使用者が所望の角度で安定して旋回させることができず、また、化粧品アプリケーターの長さ方向軸から離れた任意の所望の角度へと、軸の周辺（３６０°）で任意の方向に調節することもできない。
【０００８】
特許文献１：米国特許第９，３３９，０９８号
【０００９】
本明細書に組み込まれ、本明細書の一部を構成する、添付図面は、本発明の現在好適な実施形態を例示しており、前述した概要、および以下の詳細な説明と共に、本発明の特徴を説明するのに役立つ。
【００１０】
〔発明の詳細な説明〕
図面全体にわたって、同様の参照符号が同様の要素を示している。ある用語は、本明細書中では便宜のためだけに使用されており、本発明を制限すると理解されるものではない。以下では、本発明の好適な実施形態を説明する。しかしながら、本開示に基づいて、本発明は、本明細書に記載する好適な実施形態によって制限されるものではないことを、理解されたい。
【００１１】
〔任意の機構がない化粧品アプリケーターを調節する〕
化粧品アプリケーターは、アプリケーター領域を有し、これは、軸の周りで任意の方向にブラシの長さ方向軸から離れた任意の所望の角度に調節され得る。アプリケーター領域は、玉継手接続部によって、端部がアプリケーターのステムに接合され、玉継手接続部において、使用者は、アプリケーター領域を所望の角度に旋回させる。軸を中心とした旋回角度が制限される従来の玉継手とは異なり、このアプリケーターの玉継手は、より大きな角度調節範囲を有するように設計されている。
【００１２】
アプリケーター領域は、使用者が、使用者の手首に対してより自然かつ人間工学的な向きでアプリケーターのグリップを保持しながら組成物を塗布するために、アプリケーター領域の軸の周りで最大９０°の角度で旋回する。
【００１３】
図１〜図４は、好適なデザインの化粧品アプリケーター１のさまざまな構成要素を示している。図１は、アプリケーター領域２が、３０°間隔でその軸３の周辺を最大９０°の角度で旋回するところを示している。しかしながら、この間隔は、これらの角度に制限されるものではない。間隔は、任意の所望の角度で設計され得る。さらに、図２は、化粧品アプリケーターのアイ（eye）４が、アイの花弁状部６に沿って複数のスロット５を有することを示している。これらのスロットは、アプリケーター領域が所望の間隔（角度）で旋回し、安定して位置づけられるように設計され得る。例えば、角度Ｘ、Ｙ、Ｚはそれぞれ、図１に示すように、３０°であってよい。しかしながら、これらの角度は、３０°に制限されない。さらに、スロットの数は、図２に示すように、３個に制限されない。これらのスロットは、ゴムなど任意の材料で作られてよく、また、アプリケーター領域を安定的に保持でき、かつ使用者が隣のスロットに容易に移動させることができる、任意の形状で設計され得る。図３は、化粧品アプリケーターのボールスタッド７およびストッパ８を示す。ここで、ストッパは、使用者が、ストッパを図４に示す孔９に入れることにより、アプリケーター領域（ブラシ）をマスカラケース１０に容易に入れるために、使用される。すなわち、ストッパＡにより、使用者は、ハンドルおよびブラシ（アプリケーター領域）を、図３６に示すように一直線に配列することができる。図３６では、矢印が、ボールスタッド上に形成され、孔に入れられているストッパを示している。しかしながら、この孔は、ボールスタッド上に形成されてもよく、また、突出部（ストッパ）は、アイの内側に形成されてもよい。磁力を用いて、ストッパを孔に引き入れることができ、その結果、使用者は、図３７に示すように、ハンドルおよびブラシを容易にまっすぐにすることができる。図３７では、金属材料がボールスタッドの内側に挿入され（Ｂ）、かつ磁性材料がアイの内側に挿入される（Ｃ）か、またはこの逆となる。最後に、円形のくぼみ／突出部Ｄが、図３８に示すように、ストッパに加え、ボールスタッドの周囲に形成されてよく、使用者はハンドルおよびブラシを容易にまっすぐにすることができる。
【００１４】
図８を参照すると、化粧品アプリケーターは、半球体より浅い深さを有するボールスタッドを保持する、ソケットを有する。半球体（semi-hemisphere）の壁の縁は、アプリケーター領域の軸がホルダーシャフトの軸に垂直になると、アプリケーター領域のネックまで上がる（かつネックを支持する）。
【００１５】
ボールスタッドをソケット内部に物理的に拘束するために、化粧品アプリケーターは、花の花弁もしくは葉の形に似た、上方部分を有する。軸周辺で放射対称を有する、これらの花弁状部は、下方半球体の縁に位置し、中空の内側球体の形状をソケットに与えている。これらの花弁状部のエッジは、アプリケーター領域のネックをガイドし、旋回モーメント（pivot moment）が加えられると、ソケットの内壁に沿って、チャネル付き溝（channeled grooves）の中をたどるように、ボールスタッドの「ストッパ」をガイドする。
【００１６】
化粧品アプリケーターは、下方半球体の縁から突出している５つの部分的な「花弁状部」を有して、ボールスタッドをソケット内部に保持する。５つの開いた部分により、アプリケーター領域は、「花弁状部」およびチャネル付き通路によってガイドされながら、軸の周辺で、ある方向に７２°のセグメントずつ、旋回することができる。この好適な方法により、使用者は、調節前にアプリケーターがどの正しい向きにあることが必要かを気にせずに、自分の裁量で、アプリケーター領域をアプリケーターの軸の周辺で任意の方向に調節することができる。
【００１７】
化粧品アプリケーターは、ボールスタッドを有し、ボールスタッドは、多角球体（polygonal sphere）の形状を有し、ソケットが、これに一致した形状をとる。多角球体の各面は、所定の位置で旋回角度に固定される（すなわち、八角形は、４５°きざみで角度調節される）。
【００１８】
アプリケーターの長さ方向軸を中心としたそれぞれの角度位置にアプリケーター領域を保持するために、ボールスタッドの「ストッパ」は、ソケットの内壁の溝に沿って配された空洞または隆起部と連動して動作する。隆起部または空洞は、離脱モーメント（breakaway moment）が使用者から加えられるまで０°（直立）から９０°（屈曲）の範囲のそれぞれの角度にアプリケーター領域を固定するようにインクリメントして（in increments）配されている。離脱モーメントは、使用者の手首を単に「フリックすること」で加えられる力と同じぐらいのものとする。これは、アプリケーターが使用されるもの、すなわちまつげに塗るマスカラ組成物の性質により、大きな保持力が必要ないためである。
【００１９】
図１３を参照すると、化粧品アプリケーターは、二重玉継手機械装置（dual ball-joint movement）を有し、これは互いに独立して動作し、それぞれにそれ自体の限界がある。ボールスタッドを各端部に備えるコネクタアームが、ホルダーシャフトに対するアプリケーター領域の接続点である。ホルダーシャフトは、グリップと、グリップの端部の反対側にあるソケットと、を備えた前述の実施形態に類似している。ホルダーシャフトのソケットは、空洞を有し、空洞の深さは、半球体より深い。ソケットは、ボールスタッド（下方継手）をその空洞内に設置し、ボールスタッドをそのポケット内に拘束する。各玉継手の円錐の軸線（アプリケーターの長さ方向軸から離れた旋回角度）の限界には差異があってよいが、アプリケーター領域とホルダーシャフトとの複合旋回角度（combined pivot angle）は、垂直（９０°）より大きくも小さくもないものとする。
【００２０】
ホルダーシャフトの玉継手に対して反対側の端部にある第２の玉継手（上方継手）は、異なっていてよいサイズおよび／または形状を有する。玉継手は、アプリケーター領域のソケットに取り付けられ、アプリケーター領域は、ソケットに固定される手段を有する。ソケットの深さは、半球体の深さより深く、ボールスタッドをその空洞内部に拘束する。
【００２１】
前述した実施形態と同様、コネクタアームの各端部のボールスタッドは、離脱モーメントが加えられるまでボールスタッドの位置を保つように機能する「ストッパ」または突出部を有する。しかしながら、先の実施形態と比べて、各平面における玉継手の自由度が大きいので、ガイドは必要ない。各ボールスタッドの「ストッパ」は、それぞれのソケットの壁に沿って配列された多くのくぼみもしくは空洞のうちの１つに嵌まる。くぼみは、ソケットの軸の周辺で放射対称を有するように配列され、継手に、さまざまな保持位置を与える。
【００２２】
使用者が容器を用いて調節を行う化粧用ワンド（cosmetic wand）の端部に固定された調節可能なブラシについて、このブラシは、プラスチック射出成型されているか、ナイロンツイストであるか（nylon twist）、またはモノ／バイインジェクション成型されていてよい。
【００２３】
マスカラブラシは、ブラシシャフト、ボールスタッドもしくは「球体」、シャフトアンカー、ホルダー組立体（シャフト）、およびシールからなる。
【００２４】
ブラシシャフトは、シャフトアンカーを用いてボールスタッドに固定される。シャフトアンカーは、使用してもしなくてもよい。ブラシシャフトをボールスタッド上に固定する他の方法もある。ブラシシャフトもしくはブラシについては、ブラシは、射出成型されているか、ナイロンツイストであるか、またはモールドツイストであってよい。ブラシシャフトは、撚り合わせた金属コアもしくはポリマーシャフトであってよい。ブラシシャフトは、ナイロンもしくはポリマーのコア（毛）を取り囲む突起を有する。
【００２５】
図９を参照すると、ボールスタッドまたは「球体」は、玉継手によりホルダーシャフトに接続されている。ボールスタッドは、他の形状をとることもできるので、球体であってもなくてもよい。ボールスタッドは、ブラシシャフトが固定して嵌められているところと反対側の端部に、突出部または「ストッパ」を有する。ストッパは、継手のソケット（joint-socket）もしくは「アイ」の壁に沿った、溝付き通路および空洞と連動して動く。
【００２６】
図１０を参照すると、ホルダーシャフトは、組立体であってもなくてもよい。これは、グリップと、グリップから延びるシャフトと、を含むマスカラアプリケーターの形をとる。グリップに取り付けられたシャフトの端部にあるソケットまたは「アイ」により、ボールスタッドは確実にしまい込まれ、調節をスムーズに移行させることができる。
【００２７】
図１４を参照すると、「アイ」は、ボールスタッドが確実に嵌まるためのソケットとして作用し、玉継手と同じような機能で、任意の方向に調節を行うことを可能にする。調節範囲が限られている玉継手とは異なり、「アイ」とボールスタッドとの接続により、軸の周辺で全方向に、より大きい調節範囲で動くことが可能となる。
【００２８】
「アイ」は、ホルダーシャフト（組立体）に対する組立体の一部であってもなくてもよい。「アイ」は、ポリマー、金属などで作られてよい。「アイ」は、ボールスタッドの形状と一致する形状を有し、ボールスタッドをホルダー（組立体）に固定的に嵌めることができる。「アイ」は、ボールスタッドの側面もしくはカーブと一致する側面もしくはカーブを有する（すなわち、球状のボールスタッドは、中空球体の「アイ」を有する）。
【００２９】
ボールスタッドのサイズと、「アイ」の内壁のサイズとは、同じようなサイズであっても、そうでなくてもよく、わずかなずれがあってもよい（すなわち、ボールスタッドの半径と、ソケットの内壁の半径とが、ずれを有し得る）。
【００３０】
図１１を参照すると、「アイ」ソケットは、ボールの周りでさまざまな高さでボールスタッドを覆う、さまざまな厚さの壁を有し得る。「アイ」ソケットは、ボールの半径範囲を、さまざまな厚さで、全体的または部分的に取り囲み得る。「アイ」の内半径は、球状のボールスタッドの半径に従ったずれを有し得る。これにより、シールの公差および嵌め合い（tolerance and fitting）が可能となる。「アイ」は、「花弁状部」を有し、花弁状部は、設置されたボールスタッドの上に延びてボールスタッドをソケット内に拘束し、エッジを有し、エッジは、調節中にブラシのステムの「ネック」をガイドする。
【００３１】
図１２を参照すると、「アイ」は、「アイ」の内側凹所に成型されるか、または切り込まれた、チャネル付き通路を有する。これらのチャネルは、「花弁状部」のエッジと連動して、移行中、「ストッパ」のためのガイドを提供し、使用者は、角度をスムーズに調節することができる。溝はまた、ブラシの旋回角度を任意の長さ方向に固定する、より小さい空洞またはポケットも有する。各方向に複数組の空洞があってもよい。
【００３２】
「アイ」は、チャネル付き通路を有しても有していなくてもよいが、玉継手と同じようにブラシのスムーズな旋回移行を可能にする方法があり、いかなる角度の限界もしくは制約もない。
【００３３】
「アイ」は、ボールスタッドを収容し、ソケットとしてその空洞内部にボールスタッドを固定することにより、または、磁石（磁力）、ブラケット、もしくは溝により、ボールスタッドを固定する。
【００３４】
「アイ」には、使用者の裁量で、すべての定められた方向もしくは全方向に、また、定められた角度もしくは全角度に、ブラシの角度を固定する方法がある。さらに、「アイ」は、中空の球状ソケットを形成するように内側にくぼんだ中空の半球体の縁を取り囲む楔形セクションを備える、薄壁を有し得る。楔形部は、動いているときにボールスタッドを空洞内部に保持するように機能する。
【００３５】
「アイ」は、ブラシを９０°（しかしこれに限定されない）まで折り曲げることができるように、ソケットの壁に沿ったスロットを有し得る。さらに、「アイ」は、ゴム、シリコーン、プラスチックなどで作られたシールを有しても、有していなくてもよい。
【００３６】
図１９は、機構がない化粧品アプリケーターの一実施例を示す（球状部）。
【００３７】
図２０は、機構がない化粧品アプリケーターの一実施例を示す（ホルダー部）。
【００３８】
図２１は、機構がない化粧品アプリケーターの一実施例を示す（上部）。
【００３９】
図２８〜図３３は、デザインの異なる化粧品アプリケーターのさまざまな部分を示す。
【００４０】
図３４（ａ）〜図３４（ｃ）は、好適なデザインの化粧品アプリケーターのさまざまな部分を示す。図３４（ａ）は、ロッド部分を示し、図３４（ｂ）は、球状部分を示し、図３４（ｃ）は、上部を示す。
【００４１】
図３５は、好適なデザインの化粧品アプリケーターの別の実施例を示す。
【００４２】
〔任意の機構を備える化粧品アプリケーターを調節する〕
化粧品アプリケーターは、機構により軸の周辺で任意の方向にブラシの長さ方向軸から離れた任意の所望の角度に調節され得る、アプリケーター領域を有する。
【００４３】
図１５を参照すると、使用者は、ホルダーの端部に位置するボタンを押して、上にあるロックピンを後退させ、ブラシ位置を定位置に保持する。いったんボタンを押し下げると、ロックピンは、ホルダーステム内に後退し、使用者はブラシにモーメントを加えて所望の角度にすることができる。
【００４４】
図１６を参照すると、使用者は、ホルダーの下端部に位置するノブを引っ張り、これにより、ロックピンをホルダーステム内に後退させる。いったんロックピンを後退させると、ブラシ位置を所望の角度に調節するために、使用者がモーメント力（moment force）を加えることができる。
【００４５】
図１７を参照すると、使用者は、ホルダーの端部に位置するノブをひねって、ロックピンをホルダーステム内に後退させる。いったんロックピンを後退させてブラシの角度位置を解除すると、使用者は、ブラシにモーメント力を加えて、位置を新たな所望の角度に調節することができる。
【００４６】
図１８は、機構を有する化粧品アプリケーターの一実施例を示す。
【００４７】
図２２〜図２７は、機構を有する化粧品アプリケーターの一実施例のさまざまな部分を示す。
【００４８】
したがって、本発明の広範な発明概念から逸脱することなく、前述した実施形態に変更もしくは改変を加えられることを、当業者は認識されるであろう。よって、本発明は、本明細書に記載する特定の実施形態に制限されず、請求項に定められるような本発明の範囲および趣旨に包含される変更および改変をすべて含むことを意図していると、理解されたい。
【００４９】
〔発明の効果〕
図１〜図３５は、本発明に記載される、関節接合によって調節可能な化粧品アプリケーターのさまざまな実施例を示す。
【００５０】
本発明の利点は、前述の明細事項から、当業者には明らかとなるであろう。
【００５１】
例えば、使用者は、任意の機構の有無にかかわらず、自分の所望の角度の、より人間工学的な向きでマスカラを塗ることができる。使用者は、マスカラを塗る際に、ブラシの表面全体（３６０°）を使用することもできる。使用者の腕は、ブラシをまつげと平行にするために肩の高さまで上げる必要がなく、非常に安定した姿勢で化粧することができ、結果として、顔の望ましい場所にうまく化粧することができる。マスカラを塗り終えた後、使用者は、ブラシをマスカラケースの中に容易に嵌め込むことができる。
【００５２】
化粧品アプリケーターは、マスカラに限られるものではない。本発明の化粧品アプリケーターは、アイライナー、頬紅、アイシャドウ、リップグロスなどまで広げることができる。
【００５３】
〔実施の態様〕
（１）  化粧品アプリケーターにおいて、
グリップと、
前記グリップから延びるホルダーシャフトと、
関節接合により前記ホルダーシャフトに接続されたアプリケーター領域と、
ボールスタッドと、
を含み、
前記アプリケーター領域は、その軸の周辺で９０°までの所望の角度で旋回し、また、前記軸の周辺で任意の方向に前記化粧品アプリケーターの長さ方向軸から離れた任意の所望の角度に調節され、
前記ボールスタッドは、反対側の端部にストッパまたは突出部を有し、
前記ボールスタッドは、玉継手接続部により前記ホルダーシャフトに接続されている、化粧品アプリケーター。
（２）  実施態様１に記載の化粧品アプリケーターにおいて、
前記アプリケーター領域は、ブラシシャフトをさらに含み、
前記ブラシシャフトは、前記ボールスタッドに固定されている、化粧品アプリケーター。
（３）  実施態様１に記載の化粧品アプリケーターにおいて、
前記ホルダーシャフトは、アイを含み、前記アイは、前記ボールスタッドが固定的に嵌まり込むためのソケットとして作用し、また、任意の方向に調節を行うことを可能にする、化粧品アプリケーター。
（４）  実施態様３に記載の化粧品アプリケーターにおいて、
前記アイは、前記ボールスタッドを前記ソケット内部に拘束する複数の花弁状部を含む、化粧品アプリケーター。
（５）  実施態様３に記載の化粧品アプリケーターにおいて、
前記アイは、前記アイの内側空洞内に成型されるか、または切り込まれた複数のチャネル付き通路を含む、化粧品アプリケーター。
【００５４】
（６）  実施態様３に記載の化粧品アプリケーターにおいて、
前記アイは、前記ボールスタッドを収容し、磁石、ブラケット、または溝によって前記ボールスタッドを固定する、化粧品アプリケーター。
（７）  実施態様１に記載の化粧品アプリケーターにおいて、
前記ボールスタッドは、互いに独立して動き、かつそれぞれがそれ自体の限界を有する、二重玉継手接続部によって、前記ホルダーシャフトに接続されている、化粧品アプリケーター。
（８）  実施態様４に記載の化粧品アプリケーターにおいて、
前記複数の花弁状部は、前記アプリケーター領域をガイドして前記軸の周辺で任意の方向に旋回させる、化粧品アプリケーター。
（９）  実施態様３に記載の化粧品アプリケーターにおいて、
前記ストッパまたは前記突出部は、前記ホルダーシャフトのソケットの内壁の溝に沿って配された空洞または隆起部と連動して動作する、化粧品アプリケーター。
（１０）  実施態様９に記載の化粧品アプリケーターにおいて、
前記空洞または前記隆起部は、離脱モーメントが前記使用者から加えられるまで０°〜９０°の範囲のそれぞれの角度に前記アプリケーター領域を固定するようにインクリメントして配されている、化粧品アプリケーター。
【００５５】
（１１）  実施態様１０に記載の化粧品アプリケーターにおいて、
前記離脱モーメントは、前記使用者の手首を単にフリックすることで加えられる力と同じぐらいである、化粧品アプリケーター。
（１２）  実施態様４に記載の化粧品アプリケーターにおいて、
前記アイは、前記複数の花弁状部それぞれに沿って複数のスロットを含み、
前記複数のスロットは、前記アプリケーター領域を固定する、化粧品アプリケーター。
【図面の簡単な説明】
【００５６】
【図１】本発明の好適な実施形態による、関節接合により調節可能な化粧品アプリケーターの図である。
【図２】本発明の好適な実施形態による、関節接合により調節可能な化粧品アプリケーターのアイの図である。
【図３】本発明の好適な実施形態による、関節接合により調節可能な化粧品アプリケーターのボールスタッドおよびストッパの図である。
【図４】本発明の好適な実施形態による、関節接合により調節可能な化粧品アプリケーターのホルダーシャフトおよびグリップの図である。
【図５】本発明の別の実施形態による、関節接合により調節可能な化粧品アプリケーターの図である。
【図６】本発明の別の実施形態による、関節接合により調節可能な化粧品アプリケーターの図である。
【図７】本発明の別の実施形態による、関節接合により調節可能な化粧品アプリケーターの図である。
【図８】本発明の別の実施形態による、グリップ、ホルダーシャフト、アイ、シール、ストッパ、ボールスタッド、シャフトアンカー、ネック、およびブラシシャフトからなる化粧品アプリケーターの図である。
【図９】本発明の別の実施形態による、化粧品アプリケーターの玉継手によりホルダーシャフトに接続されたボールスタッドまたは「球体」の図である。
【図１０】本発明の別の実施形態による、化粧品アプリケーターのホルダーシャフトの図である。
【図１１】本発明の別の実施形態による、化粧品アプリケーターのアイソケット（eye socket）の図である。
【図１２】本発明の別の実施形態による、化粧品アプリケーターのアイの内側凹所内に成型されるか、もしくは切り込まれた、アイのチャネル付き通路の図である。
【図１３】本発明の別の実施形態による、二重玉継手機械装置を有する化粧品アプリケーターの図である。
【図１４】本発明の別の実施形態による、化粧品アプリケーターのアイの実施例の図である。
【図１５】本発明の別の実施形態による、機構によって軸の周辺で任意の方向にブラシの長さ方向軸から離れた任意の所望の角度に調節され得る、アプリケーター領域を有する化粧品アプリケーターの図である。
【図１６】本発明の別の実施形態による、機構によって軸の周辺で任意の方向にブラシの長さ方向軸から離れた任意の所望の角度に調節され得る、アプリケーター領域を有する別の化粧品アプリケーターの図である。
【図１７】本発明の別の実施形態による、機構によって軸の周辺で任意の方向にブラシの長さ方向軸から離れた任意の所望の角度に調節され得る、アプリケーター領域を有する別の化粧品アプリケーターの図である。
【図１８】機構を有する化粧品アプリケーターの一実施例を示す。
【図１９】機構がない化粧品アプリケーターの一実施例を示す（球状部）。
【図２０】機構がない化粧品アプリケーターの一実施例を示す（ホルダー部）。
【図２１】機構がない化粧品アプリケーターの一実施例を示す（上部）。
【図２２】機構を有する化粧品アプリケーター（cosmetic application ）の一実施例のある部分を示す。
【図２３】機構を有する化粧品アプリケーターの一実施例の別の部分を示す。
【図２４】機構を有する化粧品アプリケーターの一実施例の別の部分を示す。
【図２５】機構を有する化粧品アプリケーターの一実施例の別の部分を示す。
【図２６】機構を有する化粧品アプリケーターの一実施例の別の部分を示す。
【図２７】機構を有する化粧品アプリケーターの一実施例の別の部分を示す。
【図２８】デザインの異なる化粧品アプリケーターのある部分を示す。
【図２９】デザインの異なる化粧品アプリケーターの別の部分を示す。
【図３０】デザインの異なる化粧品アプリケーターの別の部分を示す。
【図３１】デザインの異なる化粧品アプリケーターの別の部分を示す。
【図３２】デザインの異なる化粧品アプリケーターの別の部分を示す。
【図３３】デザインの異なる化粧品アプリケーターの別の部分を示す。
【図３４（ａ）】好適なデザインの化粧品アプリケーターのある部分を示す。
【図３４（ｂ）】好適なデザインの化粧品アプリケーターの別の部分を示す。
【図３４（ｃ）】好適なデザインの化粧品アプリケーターの別の部分を示す。
【図３５】好適なデザインの化粧品アプリケーターの別の実施例を示す。
【図３６】化粧品アプリケーターのハンドルおよびブラシをまっすぐにする方法のある実施例を示す。
【図３７】化粧品アプリケーターのハンドルおよびブラシをまっすぐにする方法の別の実施例を示す。
【図３８】化粧品アプリケーターのハンドルおよびブラシをまっすぐにする方法の別の実施例を示す。
【図１】
2018143742.tif 000003
【図２】
2018143742.tif 000004
【図３】
2018143742.tif 000005
【図４】
2018143742.tif 000006
【図５】
2018143742.tif 000007
【図６】
2018143742.tif 000008
【図７】
2018143742.tif 000009
【図８】
2018143742.tif 000010
【図９】
2018143742.tif 000011
【図１０】
2018143742.tif 000012
【図１１】
2018143742.tif 000013
【図１２】
2018143742.tif 000014
【図１３】
2018143742.tif 000015
【図１４】
2018143742.tif 000016
【図１５】
2018143742.tif 000017
【図１６】
2018143742.tif 000018
【図１７】
2018143742.tif 000019
【図１８】
2018143742.tif 000020
【図１９】
2018143742.tif 000021
【図２０】
2018143742.tif 000022
【図２１】
2018143742.tif 000023
【図２２】
2018143742.tif 000024
【図２３】
2018143742.tif 000025
【図２４】
2018143742.tif 000026
【図２５】
2018143742.tif 000027
【図２６】
2018143742.tif 000028
【図２７】
2018143742.tif 000029
【図２８】
2018143742.tif 000030
【図２９】
2018143742.tif 000031
【図３０】
2018143742.tif 000032
【図３１】
2018143742.tif 000033
【図３２】
2018143742.tif 000034
【図３３】
2018143742.tif 000035
【図３４（ａ）】
2018143742.tif 000036
【図３４（ｂ）】
2018143742.tif 000037
【図３４（ｃ）】
2018143742.tif 000038
【図３５】
2018143742.tif 000039
【図３６】
2018143742.tif 000040
【図３７】
2018143742.tif 000041
【図３８】
2018143742.tif 000042
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
化粧品アプリケーターにおいて、
グリップと、
前記グリップから延びるホルダーシャフトであって、長さ方向軸を含む、ホルダーシャフトと、
アプリケーター領域であって、前記アプリケーター領域の少なくとも１つの端部はボールスタッドに接続されている、アプリケーター領域と、
を含み、
前記アプリケーター領域は、前記長さ方向軸の周辺で９０°までの所望の角度で旋回し、また、前記長さ方向軸から離れた任意の所望の角度および任意の方向に調節され、
前記ボールスタッドは、その下部にストッパまたは突出部を有し、
前記ボールスタッドは、前記ホルダーシャフトに接続されている、化粧品アプリケーター。
【請求項２】
請求項１に記載の化粧品アプリケーターにおいて、
前記アプリケーター領域は、ブラシシャフトをさらに含み、
前記ブラシシャフトは、前記ボールスタッドに固定されている、化粧品アプリケーター。
【請求項３】
請求項１に記載の化粧品アプリケーターにおいて、
前記ホルダーシャフトは、アイを含み、前記アイは、前記ボールスタッドが固定的に嵌まり込むためのソケットとして作用し、また、任意の方向に調節を行うことを可能にする、化粧品アプリケーター。
【請求項４】
請求項３に記載の化粧品アプリケーターにおいて、
前記アイは、前記ボールスタッドを前記ソケット内部に拘束する複数の花弁状部を含む、化粧品アプリケーター。
【請求項５】
請求項３に記載の化粧品アプリケーターにおいて、
前記アイは、前記アイの内側空洞内に成型されるか、または切り込まれた複数のチャネル付き通路を含む、化粧品アプリケーター。
【請求項６】
請求項３に記載の化粧品アプリケーターにおいて、
前記アイは、前記ボールスタッドを収容し、磁石、ブラケット、または溝によって前記ボールスタッドを固定する、化粧品アプリケーター。
【請求項７】
請求項１に記載の化粧品アプリケーターにおいて、
前記ボールスタッドは、互いに独立して動き、かつそれぞれがそれ自体の限界を有する、二重玉継手接続部によって、前記ホルダーシャフトに接続されている、化粧品アプリケーター。
【請求項８】
請求項４に記載の化粧品アプリケーターにおいて、
前記複数の花弁状部は、前記アプリケーター領域をガイドして前記長さ方向軸の周辺で任意の方向に旋回させる、化粧品アプリケーター。
【請求項９】
請求項３に記載の化粧品アプリケーターにおいて、
前記ストッパまたは前記突出部は、前記ホルダーシャフトのソケットの内壁の溝に沿って配された空洞または隆起部と連動して動作する、化粧品アプリケーター。
【請求項１０】
請求項９に記載の化粧品アプリケーターにおいて、
前記空洞または前記隆起部は、離脱モーメントが前記使用者から加えられるまで０°〜９０°の範囲のそれぞれの角度に前記アプリケーター領域を固定するように配されている、化粧品アプリケーター。
【請求項１１】
請求項１０に記載の化粧品アプリケーターにおいて、
前記離脱モーメントは、前記使用者の手首を単にフリックすることで加えられる力と同じぐらいである、化粧品アプリケーター。
【請求項１２】
請求項４に記載の化粧品アプリケーターにおいて、
前記アイは、前記複数の花弁状部それぞれに沿って複数のスロットを含み、
前記複数のスロットは、前記アプリケーター領域を固定する、化粧品アプリケーター。
【外国語明細書】
2018143742000001.pdf